(57)【要約】【課題】ラックに設置されてトレイと連結され、地震や外部衝撃時に振動がラックに加わってトレイが揺れる時にともに揺れるコネクタユニットを備えることによって、トレイとコネクタユニットとの電気的接続が解除されることを防止することができるエネルギー貯蔵システムを提供する。【解決手段】複数のバッテリーセル、前記複数のバッテリーセルが収納されるように形成される複数のトレイ、および前記複数のトレイが収納されるように形成され、複数の結合プレートと前記複数の結合プレートに設けられた複数のコネクタユニットを含むラックを含み、前記コネクタユニットは前記結合プレートと接触し、締結ホールを含むベースプレート、およびワッシャーヘッド部と、前記ワッシャーヘッド部に連結され、前記締結ホールを通過して前記結合プレートに結合されるワッシャーボディー部を有するフロートワッシャーを含み、前記締結ホールの直径が前記ワッシャーボディー部の直径より大きい。【選択図】図６
2013058478.tif 000002
【特許請求の範囲】
【請求項１】
バッテリーセルと、
前記バッテリーセルを収容するためのトレイと、
前記トレイを収容するラックとを含み、
前記ラックは前記ラックに挿入されたトレイに連結され、前記トレイとともに振動するコネクタユニットを含むことを特徴とするエネルギー貯蔵システム。
【請求項２】
前記コネットユニットは、
複数の締結ホールを有するベースプレートと、
複数のフロートワッシャーと、
複数の締結部材とを含み、
それぞれの前記フロートワッシャーは前記締結ホールの対応する一つ内に位置することを特徴とする請求項１に記載のエネルギー貯蔵システム。
【請求項３】
それぞれの前記フロートワッシャーはワッシャーヘッド、ワッシャーボディー部およびワッシャーホールを有し、
前記ワッシャーボディー部は前記ワッシャーヘッドの直径より小さい直径を有し、
前記ワッシャーホールは前記ワッシャーヘッドとワッシャーボディー部を貫通する締結部材の対応する一つを許容するために前記ワッシャーヘッドおよびワッシャーボディー部を通過して位置し、
前記ワッシャーボディー部の大きさは前記締結ホールの対応するものより小さいことを特徴とする請求項２に記載のエネルギー貯蔵システム。
【請求項４】
前記ラックは連結プレートをさらに含み、
前記フロートワッシャーおよび締結ホールの対応するそれぞれを通して前記コネクションプレートに連結されることを特徴とする請求項３に記載のエネルギー貯蔵システム。
【請求項５】
前記締結部材のそれぞれは締結ヘッドおよび締結ボディー部を有し、
前記締結ヘッドは前記ワッシャーホールの大きさより大きい大きさを有し、
前記締結ボディー部は前記ワッシャーホールを通過し、前記コネクションプレートに連結されるように構成されることを特徴とする請求項４に記載のエネルギー貯蔵システム。
【請求項６】
前記コネクションユニットは、
前記トレイの通信端子を収容するための通信ソケットと、
前記トレイの電源端子を収容するための電源ソケットと、
前記ラックに挿入されるトレイに向かうベースプレートの一側に位置し、前記通信ソケットおよび電源ソケットを取り囲むガイド壁とをさらに含むことを特徴とする請求項２に記載のエネルギー貯蔵システム。
【請求項７】
前記コネクタユニットは前記トレイが前記ラックに反対に挿入されることを防止する逆挿し防止突起を含むことを特徴とする請求項１に記載のエネルギー貯蔵システム。
【請求項８】
前記ラックは、
前記トレイを収容するためのダイと、
前記ダイを取り囲むハウジングと、
前記トレイの挿入を可能にし、前記ラックに加わる振動を吸収し、弾性力で前記トレイを保護するために前記ダイの側面に形成される複数個の弾性部材とをさらに含むことを特徴とする請求項１に記載のエネルギー貯蔵システム。
【請求項９】
前記ハウジングは、
上部フレームと、
下部フレームと、
前記上部フレームおよび下部フレームに連結される第１側部フレームと、
前記上部フレームおよび下部フレームに連結される第２側部フレームとを含み、
前記ダイは前記上部フレーム、下部フレーム、第１側部フレームおよび第２側部フレームによって定義される空間に位置し、
前記ダイ、上部フレーム、下部フレーム、第１側部フレームおよび第２側部フレームは前記ラックに前記トレイを収容するための複数個の空間を定義することを特徴とする請求項８に記載のエネルギー貯蔵システム。
【請求項１０】
前記トレイは複数のトレイを含み、
前記ダイは複数のダイを含み、
前記ハウジングは、
前記第１側部フレームと第２側部フレームとの間に中間フレームをさらに含み、前記中間フレームは前記上部フレームと下部フレームに連結され、前記中間フレームおよびダイは前記ラックに前記トレイを収容するための空間をさらに定義することを特徴とする請求項９に記載のエネルギー貯蔵システム。
【請求項１１】
前記弾性部材は板スプリングであることを特徴とする請求項８に記載のエネルギー貯蔵システム。
【請求項１２】
前記ダイのそれぞれの両側に支持板をさらに含み、前記弾性部材は前記支持板のそれぞれに位置することを特徴とする請求項８に記載のエネルギー貯蔵システム。
【請求項１３】
前記ダイは前記トレイから熱の放出を許容するための複数個のホールを有することを特徴とする請求項８に記載のエネルギー貯蔵システム。
【請求項１４】
前記バッテリーセルは複数のバッテリーセルを含み、
それぞれの前記トレイは、
前記バッテリーセルを収容する内部空間を有する第１ケースと、
前記バッテリーセルを分離するために前記第１ケース内に形成される隔壁と、
前記バッテリーセルを取り囲むために前記第１ケースとともに結合する第２ケースとを含むことを特徴とする請求項１に記載のエネルギー貯蔵システム。
【請求項１５】
前記ラックは複数個の外部表面に対してラックを固定し、前記ラックに加わる振動を減らすために前記ラックの外部表面に形成される固定部材をさらに含むことを特徴とする請求項１に記載のエネルギー貯蔵システム。
【請求項１６】
前記固定部材は、
前記ハウジングの底面に形成される下部固定部材と、
前記ハウジングの上部後面に形成される上部固定部材とを含むことを特徴とする請求項１５に記載のエネルギー貯蔵システム。
【請求項１７】
前記ラックの底面に位置し、前記ラックを水平に移動させる複数個の移動部材をさらに含むことを特徴とする請求項１に記載のエネルギー貯蔵システム。
【請求項１８】
前記ラックの高さを調節するための複数個の高さ調節部材をさらに含むことを特徴とする請求項１に記載のエネルギー貯蔵システム。
【請求項１９】
前記エネルギー貯蔵システムで電源を連結し、保護回路を含むスイッチボックスと、
前記バッテリーセルの充放電を制御し、前記トレイとの通信を制御し、前記バッテリーセルの状態を監視するバッテリー管理ボックスとを含み、
前記スイッチボックスおよびバッテリー管理ボックスは前記トレイと同一形状であり、前記ラックに収容されることを特徴とする請求項１に記載のエネルギー貯蔵システム。
【請求項２０】
前記トレイは複数のトレイを含み、
前記コネクタユニットは複数のコネクタユニットを含み、それぞれのコネクタユニットは前記ラックに挿入されるトレイの対応する一つに連結され、前記トレイの対応する一つとともに振動するように形成されることを特徴とする請求項１に記載のエネルギー貯蔵システム。
【発明の詳細な説明】
【技術分野】
【０００１】
本発明はエネルギー貯蔵システムに関する。
【背景技術】
【０００２】
エネルギー貯蔵システムは太陽電池のような再生可能エネルギーおよび電力系統と連係し、負荷の電力需要が少ない時に電力を貯蔵しておいて負荷の電力需要が大きい時に貯蔵された電力を使うよう構成され、例えば、携帯電話機、ノートパソコンなどの電子機器に使用される２次電池が大量に含まれているエネルギー貯蔵装置である。
【０００３】
前記大量の２次電池は多数のトレイに収納され、多数のトレイはラックに収納され、多数のラックがコンテナボックスに収納される。
【０００４】
このようにコンテナボックスに収納された多数のラックは地震および外部衝撃などの振動から安定性を確保できるよう設計されることが要求されている。
【発明の概要】
【発明が解決しようとする課題】
【０００５】
本発明はラックに設置されてトレイと連結され、地震や外部衝撃時に振動がラックに加わってトレイが揺れる時にともに揺れるコネクタユニットを備えることによって、トレイとコネクタユニットとの電気的接続が解除されることを防止できるエネルギー貯蔵システムを提供することを目的とする。
【課題を解決するための手段】
【０００６】
前記目的を達成するための本発明の一実施例によるエネルギー貯蔵システムは、複数のバッテリーセル、前記複数のバッテリーセルが収納されるように形成される複数のトレイ、および前記複数のトレイが収納されるように形成され、複数の結合プレートと前記複数の結合プレートに設けられた複数のコネクタユニットを含むラックを含み、前記コネクタユニットは前記結合プレートと接触し、締結ホールを含むベースプレート、およびワッシャーヘッド部と、前記ワッシャーヘッド部に連結され、前記締結ホールを通過して前記結合プレートに結合されるワッシャーボディー部を有するフロートワッシャーを含み、前記締結ホールの直径が前記ワッシャーボディー部の直径より大きいことを特徴とする。
【発明の効果】
【０００７】
本発明の一実施例によるエネルギー貯蔵装置はラックに設置されてトレイと連結され、地震や外部衝撃時に振動がラックに加わってトレイが揺れる時にともに揺れるコネクタユニットを備えることによって、トレイとコネクタユニットの電気的接続が解除されることを防止することができる。
【０００８】
また、本発明の一実施例によるエネルギー貯蔵装置は、コネクタユニットに形成された第１逆挿し防止突起および第２逆挿し防止突起を備えることによって、トレイがラックに挿入されるときにトレイの逆挿入を防止することができる。
【０００９】
また、本発明の一実施例によるエネルギー貯蔵装置は、ラックに設けられる下部固定部材および上部固定部材を備えることによって、ラックをコンテナボックスの底面に堅固に固定させることができ、地震や外部衝撃時にラックに加わる振動を吸収することによって、ラックへの振動の影響を減少させることができる。
【００１０】
また、本発明の一実施例によるエネルギー貯蔵装置は、ラックに設けられた弾性部材を備えることによってトレイをラックに容易に挿入させることができ、挿入されたトレイを弾性力で固定させることができ、地震や外部衝撃時にトレイに加わる振動を吸収することによって、トレイへの振動の影響を減少させることができる。
【図面の簡単な説明】
【００１１】
【図１】本発明の一実施例によるエネルギー貯蔵システムの斜視図である。
【図２】図１に示されているトレイに収納されたバッテリーセルを示す斜視図である。
【図３】図１に示されているラックの斜視図である。
【図４】図３に示されているラックの弾性部材を示す斜視図である。
【図５】図１に示されているラックの背面を示す背面図である。
【図６】図５に示されている‘Ａ’部分のコネクタユニットを示す斜視図である。
【図７】図６に示されている‘Ｂ’部分のベースプレートとフロートワッシャーの分離斜視図である。
【図８】図７のベースプレートとフロートワッシャーとの結合斜視図である。
【発明を実施するための形態】
【００１２】
明細書全体において、ある部分が他の部分と“連結”されているとする場合、これは“直接的に連結”されている場合だけでなく、“その中間に他の素子を間において電気的に連結”されている場合も含む。また、ある部分がある構成要素を“含む”とする場合、これは特に反対の記載がない限り、他の構成要素を除くのではなく他の構成要素をさらに含むことを意味する。
【００１３】
以下、図面を参照しながら本発明の実施例について詳細に説明する。
【００１４】
図１は、本発明の一実施例によるエネルギー貯蔵システムの斜視図であり、図２は、図１に示されているトレイに収納されるバッテリーセルを示す斜視図である。
【００１５】
図１および図２を参照すれば、本発明の一実施例によるエネルギー貯蔵システム１０は複数のバッテリーセル１００、複数のトレイ２００、スイッチボックス３００、バッテリー管理ボックス４００およびラック５００を含む。前記エネルギー貯蔵システム１０は太陽電池のような再生可能エネルギーおよび電力系統と連係して、複数のバッテリーセル１００は再生可能エネルギーまたは電力系統から電力を供給されたり、外部負荷に電力を供給したりする。図示してはいないが、前記エネルギー貯蔵システム１０は太陽電池のような再生可能エネルギーおよび電力系統と電力をやり取りするために必要なインバータ、コンバータなどの回路素子を含む。
【００１６】
前記バッテリーセル１００は充電および放電が可能な電池であって、リチウムイオンバッテリーセルを用いることができるが、これにより本発明が限定されるものではない。図２には１つのトレイ２００に８つのバッテリーセル１００が収納されることを示しているが、所望する出力によりバッテリーセル１００の個数調節が可能である。また、図２にはバッテリーセル１００を円筒形バッテリーセルに示しているが、角型バッテリーセルまたはパウチバッテリーセルを用いることもできる。
【００１７】
前記トレイ２００はラック５００に収納され、第１ケース２１０と第２ケース２２０とを含む。前記第１ケース２１０は内部に収納空間を有するボックス形態にすることができ、内部空間に複数のバッテリーセル１００をそれぞれ分離させて収納するように複数の隔壁２１１を含む。前記第２ケース２２０はプレート形態にすることができ、複数のバッテリーセル１００が収納された第１ケース２１０と結合する。前記第１ケース２１０と第２ケース２２０は絶縁性材料であるプラスチックからなるようにすることができる。図１には１つのラック５００に２０つのトレイ２００が収納されることを示しているが、ラック５００の大きさによりトレイ２００の個数調節が可能である。一方、図示していないが、前記トレイ２００それぞれにはバッテリーセル１００の充放電などを制御するバッテリー管理システム（Ｂａｔｔｅｒｙ  Ｍａｎａｇｅｍｅｎｔ  Ｓｙｓｔｅｍ；ＢＭＳ）が内装されている。
【００１８】
前記スイッチボックス３００はトレイ２００のような形態からなり、ラック５００に収納される。前記スイッチボックス３００は内部にバッテリーセル１００を保護する保護回路素子を含む。例えば、前記保護回路素子はバッテリーセル１００に供給される電流がバッテリーセル１００の許容電流より大きい場合、電流の流れを切るヒューズまたはスイッチング素子を用いることができる。
【００１９】
前記バッテリー管理ボックス４００はトレイ２００のような形態からなり、ラック５００に収納される。前記バッテリー管理ボックス４００は内部に各トレイ２００との通信を制御する回路素子を含む。このようなバッテリー管理ボックス４００は回路素子を通して、トレイ２００に収納されたバッテリーセル１００の状態を把握することができる。
【００２０】
前記ラック５００は複数のトレイ２００、スイッチボックス３００およびバッテリー管理ボックス４００を収納するように形成される。前記ラック５００は鉄のような高い強度を有する材質からなるようにすることができる。このようなラック５００は複数個で構成されてコンテナボックス（図示せず）に配置される。以下、前記ラック５００について具体的に説明する。
【００２１】
図３は図１に示されているラックの斜視図であり、図４は図３に示されているラックの弾性部材を示す斜視図であり、図５は図１に示されているラックの背面を示す背面図である。
【００２２】
図３乃至図５を参照すれば、前記ラック５００は上部フレーム５１０、上部フレーム５１０の両側部に連結された第１側部フレーム５２１および第２側部フレーム５２２、第１側部フレーム５２１および第２側部フレーム５２２に連結される下部フレーム５３０を含む。ここで、前記上部フレーム５１０は第１側部フレーム５２２および第２側部フレーム５２４と垂直をなし、下部フレーム５３０と平行である。このような上部フレーム５１０、第１側部フレーム５２１、第２側部フレーム５２２および下部フレーム５３０はラック５００の内部に空間を形成する。
【００２３】
また、前記ラック５００は第１側部フレーム５２１および第２側部フレーム５２２の間の空間に第１側部フレーム５２１および第２側部フレーム５２２と平行に設けられた中間フレーム５２３と、上部フレーム５１０と下部フレーム５３０との間の空間に上部フレーム５１０および下部フレーム５３０と平行に設けられた複数のダイ５３２を含む。ここで、前記複数のダイ５３２はトレイ２００に収納されるバッテリーセル１００の充放電時に発生する熱を放出させるための複数のホール５３２ａを含むようにすることができる。このような中間フレーム５２３および複数のダイ５３２はラック５００で複数のトレイ２００、スイッチボックス３００およびバッテリー管理ボックス４００を収納するための実質的な空間を形成する。
【００２４】
また、前記ラック５００は下部フレーム５３０の下部に設けられた移動手段５３３を含む。前記移動手段５３３は、例えば、回転車輪で構成されてラック５００を自由に移動させることができる。
【００２５】
また、前記ラック５００は下部フレーム５３０の角部および中間フレーム５２３と対応する領域の両側に設けられた高さ調節手段５３４と下部固定部材５３５とを含む。前記高さ調節手段５３４はほぼボルト形態であり、回転によって上・下部に移動する。前記下部固定部材５３５は支持面５３５ａ、折り曲げ面５３５ｂおよび固定面５３５ｃを含む。前記支持面５３５ａは下部フレーム５３０の下面と向き合って下部フレーム５３０の下面と平行で、高さ調節手段５３４が通過するように通過ホールを有する。前記折り曲げ面５３５ｂは支持面５３５ａの一側端から下部方向に折り曲げられて延長される。前記固定面５３５ｃは下部フレーム５３０の下面と平行するように前記折り曲げ面５３５ｂの一側端に折り曲げられて延長される。ここで、前記支持面５３５ａと折り曲げ面５３５ｂは下部フレーム５３０の下面と垂直方向にほぼ重なり、固定面５３５ｃは下部フレーム５３０の下面と垂直方向に重ならずにスクリュー（図示せず）が貫通する貫通ホール５３５ｄを有する。このような下部固定部材５３５はスクリューによってラック５００をコンテナボックスの底面に堅固に固定して地震や外部衝撃時にラック５００に加わる振動を吸収することによって、ラック５００への振動の影響を減少させることができる。ここで、前記高さ調節手段５３４はラック５００の移動時に上部に移動して下部固定部材５３５とともに上部に移動することによって、ラック５００を自由に移動させることができる。
【００２６】
また、前記ラック５００は複数のダイ５３２の両側に設けられた支持板５３６と、前記支持板５３６に設けられた弾性部材５３７を含む。前記支持板５３６は前記ダイ５３２と垂直をなし、弾性部材５３７が設けられる空間を提供する。前記弾性部材５３７は、例えば、板スプリングからなり、結合面５３７ａ、第１延長面５３７ｂ、第２延長面５３７ｃおよび第３延長面５３７ｄを含む。前記結合面５３７ａは支持板５３６に結合し、支持板５３６と平行である。前記第１延長面５３７ｂは結合面５３７ａの一側端からラック５００の内部方向に折り曲げられ、トレイ２００がラック５００に挿入される方向に延長され、前記第２延長面５３７ｃは結合面５３７ａと平行するように第１延長面５３７ｂの一側端に折り曲げられ、トレイ２００がラック５００に挿入される方向に延長され、前記第３延長面５３７ｄは第２延長面５３７ｃの一側端からトレイ２００が遠くなる方向に折り曲げられて延長される。このような弾性部材５３７はトレイ２００の挿入を容易にし、挿入されたトレイ２００を弾性力を利用して固定し、地震や外部衝撃時にトレイ２００に加わる振動を吸収することによって、トレイ２００への振動の影響を減少させることができる。
【００２７】
また、前記ラック５００は後面、具体的に第１側部フレーム５２１および第２側部フレーム５２２の後面に設けられる複数の結合プレート５４０を含む。前記複数の結合プレート５４０それぞれはラック５００に挿入される複数のトレイ２００それぞれと対応するように第１側部フレーム５２１または第２側部フレーム５２０に連結される一側と、中間フレーム５２３に連結される他側を有する。
【００２８】
また、前記ラック５００は上部フレーム５１０の後面に設けられる上部固定部材５４１を含む。前記上部固定部材５４１は上部フレーム５１０の後面の両側および中間領域で上部方向に延長されるように形成され、スクリュー（図示せず）が貫通する貫通ホール５４１ａを有する。ここで、前記上部固定部材５４１は複数の面が連結形成されることができる。このような上部固定部材５４１はスクリューによってラック５００をコンテナボックスの側壁に堅固に固定して地震や外部衝撃時に下部固定部材５３５とともにラック５００に加わる振動を吸収することによって、ラック５００への振動の影響を減少させることができる。
【００２９】
また、前記ラック５００は複数の結合プレート５４０に設けられる複数のコネクタユニット５５０を含む。前記コネクタユニット５５０は、例えば、大電流端子ＨＴ、通信および電源端子ＩＴ等を含む。大電流端子ＨＴはラック５００に挿入された複数のトレイ２００間に電源が供給される経路を提供し、通信および電源端子ＩＴはラック５００に挿入された複数のトレイ２００間に通信を可能にし、複数のトレイ２００に含まれるバッテリー管理ユニットに電源を供給するための経路を提供する。ここで、大電流端子ＨＴには大電流ワイヤー１１が連結され、通信および電源端子ＩＴには通信ワイヤー１２と電源ワイヤー１３が連結される。以下、通信および電源端子ＩＴを例に挙げて、コネクタユニット５５０について具体的に説明する。
【００３０】
図６は図５に示されている‘Ａ’部分のコネクタユニットを示す斜視図であり、図７は図６に示されている‘Ｂ’部分のベースプレートとフロートワッシャーの分離斜視図である。
【００３１】
図６および図７を参照すれば、前記コネクタユニット５５０はベースプレート５５１、第１逆挿し防止突起５５２、第２逆挿し防止突起５５３、通信ソケット５５４、電源ソケット５５５、ガイド壁５５６、フロートワッシャー５５７およびスクリュー５５８を含む。
【００３２】
前記ベースプレート５５１はコネクタユニット５５０のベースをなし、複数の結合プレート５４０に接触する。前記ベースプレート５５１は絶縁性材料であるプラスチックからなるようにすることができる。
【００３３】
前記第１逆挿し防止突起５５２はベースプレート５５１の一側に形成され、ベースプレート５５１からラック５００に挿入されたトレイ２００に向かう方向に突出した柱形状にすることができる。このような第１逆挿し防止突起５５２はトレイ２００がラック５００に挿入されるとき、トレイ２００の逆挿入を防止する。示してはいないが、前記トレイ２００はラック５００に挿入されるとき、第１逆挿し防止突起５５２と対応する領域に第１逆挿し防止突起５５２と結合できるホールが形成される構造にすることができる。
【００３４】
前記第２逆挿し防止突起５５３はベースプレート５５１の他側に形成され、ベースプレート５５１からラック５００に挿入されたトレイ２００に向かう方向に突出し、中空５５３ａが形成された柱形状にすることができる。このような第２逆挿し防止突起５５３はトレイ２００がラック５００に挿入されるとき、第１逆挿し防止突起５５２とともにトレイ２００の逆挿入を防止する。示してはいないが、前記トレイ２００はラック５００に挿入されるとき、第２逆挿し防止突起５５３と対応する領域に第２逆挿し防止突起５５３の中空５５３ａと結合できるような柱形状の突起が形成される構造にすることができる。
【００３５】
前記通信ソケット５５４はトレイ２００の通信端子が挿入される一面と、通信ワイヤー１２が挿入される他面を有する。
【００３６】
前記電源ソケット５５５はトレイ２００の電源端子が挿入される一面と、電源ワイヤー１３が挿入される他面を有する。
【００３７】
前記ガイド壁５５６はベースプレート５５１中のラック５００に挿入されたトレイ２００と対向する面に通信ソケット５５４と電源ソケット５５５を取り囲むように形成される。
【００３８】
前記フロートワッシャー５５７はワッシャーヘッド部５５７ａ、ワッシャーボディー部５５７ｂおよびワッシャーホール５５７ｃを含む。前記ワッシャーヘッド部５５７ａはほぼ円柱形状を有する。前記ワッシャーボディー部５５７ｂはほぼ円柱形状を有し、ワッシャーヘッド部５５７ａより小さい直径を有し、ワッシャーヘッド部５５７ａに連結される。前記ワッシャーホール５５７ｃはスクリュー５５８がフロートワッシャー５５７を貫通するようにワッシャーヘッド部５５７ａとワッシャーボディー部５５７ｂを横切って形成される。
【００３９】
前記スクリュー５５８はスクリューヘッド部５５８ａとスクリューボディー部５５８ｂを含む。前記スクリューヘッド部５５８ａはワッシャーヘッド部５５７ａにかけられ、スクリューボディー部５５８ｂはワッシャーホール５５７ｃとベースプレート５７１の締結ホール５７１ａを通過して結合プレート５４０に結合する。以下、ベースプレート５７１とフロートワッシャー５５７との連結関係について説明する。
【００４０】
図８は図７のベースプレートとフロートワッシャーとの結合斜視図である。
【００４１】
図８を参照すれば、ベースプレート５５１の締結ホール５５１ａの直径Ｄ１がフロートワッシャー５５７中のワッシャーボディー部５５７ｂの直径Ｄ２より大きく形成される。これは、ベースプレート５５１とワッシャーボディー部５５７ｂとの間に離隔距離を形成するためである。このような離隔距離は地震や外部衝撃時に振動がラック５００に加わってトレイ２００が揺れるとき、コネクタユニット５５０とともに揺れることによって、トレイ２００とコネクタユニット５７１との電気的接続が解除されることを防止する。ここで、前記締結ホール５５１ａの直径Ｄ１とワッシャーボディー部５５７ｂの直径Ｄ２との差は３ｍｍ乃至７ｍｍとすることができる。これは、前記締結ホール５５１ａの直径Ｄ１とワッシャーボディー部５５７ｂの直径Ｄ２との差が３ｍｍ未満であれば、ラック５００に加わる振動が大きすぎる場合、トレイ２００が揺れる程度に比べてコネクタユニット５５０の揺れる程度が小さすぎて、トレイ２００とコネクタユニット５５１との電気的接続が解除される可能性が大きいためである。また、前記締結ホール５５１ａの直径Ｄ１とワッシャーボディー部５５７ｂとの直径Ｄ２の差が７ｍｍを超えれば、ラック５００とコネクタユニット５５０との間の結合力が弱くなる。
【００４２】
前記のように、本発明の一実施例によるエネルギー貯蔵装置１００はラック５００に設けられてトレイ２００と連結され、地震や外部衝撃時に振動がラック５００に加わってトレイ２００が揺れる時にともに揺れるコネクタユニット５５０を備えることによって、トレイ２００とコネクタユニット５５０との電気的接続が解除されることを防止することができる。
【００４３】
また、本発明の一実施例によるエネルギー貯蔵装置１００はコネクタユニット５５０に形成された第１逆挿し防止突起５５２および第２逆挿し防止突起５５３を備えることによって、トレイ２００がラック５００に挿入されるとき、トレイ２００の逆挿入を防止することができる。
【００４４】
また、本発明の一実施例によるエネルギー貯蔵装置１００はラック２００に設けられる下部固定部材５３５および上部固定部材５４１を備えることによって、ラック５００をコンテナボックスの底面に堅固に固定させることができ、地震や外部衝撃時にラック５００に加わる振動を吸収することによって、ラック５００への振動の影響を減少させることができる。
【００４５】
また、本発明の一実施例によるエネルギー貯蔵装置１００はラック２００に設けられた弾性部材５３７を備えることによって、トレイ２００をラック５００に容易に挿入でき、挿入されたトレイ２００を弾性力を利用して固定することができ、地震や外部衝撃時にトレイ２００に加わる振動を吸収することによって、トレイ２００への振動の影響を減少させることができる。
【００４６】
本発明は前述した実施形態に何ら限定されるものではなく、本発明の要旨を逸脱しない範囲内において、当該発明の属する技術分野で通常の知識を有する者であれば、それらから多様な変形および実施が可能であることは勿論のことであり、本発明の範囲は、特許請求の範囲によって示され、さらに特許請求の範囲内のすべての変更を含む。
【符号の説明】
【００４７】
１０  エネルギー貯蔵システム
１１  大電流ワイヤー
１２  通信ワイヤー
１３  電源ワイヤー
１００  バッテリーセル
２００  トレイ
３００  スイッチボックス
４００  バッテリー管理ボックス
５００  ラック
５１０  上部フレーム
５２１  第１側部フレーム
５２２  第２側部フレーム
５２３  中間フレーム
５３０  下部フレーム
５３２  ダイ
５３３  移動手段
５３４  高さ調節手段
５３５  下部固定部材
５３６  支持板
５３７  弾性部材
５４０  結合プレート
５４１  上部固定部材
５５０  コネクタユニット
５５１  ベースプレート
５５２  第１逆挿し防止突起
５５３  第２逆挿し防止突起
５５４  通信ソケット
５５５  電源ソケット
５５６  ガイド壁
５５７  フロートワッシャー
５５８  スクリュー
【図１】
2013058478.tif 000003
【図２】
2013058478.tif 000004
【図３】
2013058478.tif 000005
【図４】
2013058478.tif 000006
【図５】
2013058478.tif 000007
【図６】
2013058478.tif 000008
【図７】
2013058478.tif 000009
【図８】
2013058478.tif 000010